(57)【要約】【課題】コルゲートチューブの開口端縁とワイヤハーネスとの干渉を抑制することができるプロテクタを提供する。【解決手段】コルゲートチューブ２の端部を収容して保持する筒状のプロテクタ１が、底壁１１１、底壁１１１の両端縁から立ち上がる一対の側壁１１２、及び、底壁１１１と側壁１１２とに設けられてコルゲートチューブ２の端部を保持する本体側保持部１１４と、を有する本体部１１と、本体部１１を覆うカバー部１２と、を備え、底壁１１１、一対の側壁１１２、及びカバー部１２の、コルゲートチューブ２と向かい合うそれぞれの内面にコルゲートチューブ２の端部における開口端縁２２と対面する本体側対面部１１５及びカバー側対面部１２４を設けた。【選択図】図４
2019088120.tif 000002
【特許請求の範囲】
【請求項１】
コルゲートチューブの少なくとも端部を収容して保持する筒状のプロテクタであって、
底壁、当該底壁の両端縁から立ち上がる一対の側壁、及び、前記底壁と前記側壁とのうちの少なくとも何れかの壁に設けられて前記コルゲートチューブの前記端部を保持する保持部、を有する本体部と、
前記本体部を覆うカバー部と、を備え、
前記底壁、一対の前記側壁、及び前記カバー部の、前記コルゲートチューブと向かい合うそれぞれの内面に前記コルゲートチューブの前記端部における開口端縁と対面する対面部を設けたことを特徴とするプロテクタ。
【請求項２】
前記対面部は、前記コルゲートチューブの前記開口端縁の全周に亘って対面するように設けられていることを特徴とする請求項１に記載のプロテクタ。
【請求項３】
前記対面部の前記内面からの高さ寸法は、前記底壁、一対の前記側壁、及び前記カバー部のうち、前記コルゲートチューブから最も離れた部位の内面から前記開口端縁までの距離と等しい、あるいは、当該距離よりも長いことを特徴とする請求項１又は２に記載のプロテクタ。
【請求項４】
前記対面部は、前記コルゲートチューブの前記開口端縁と当接した状態で対面するように設けられていることを特徴とする請求項１〜３のうち何れか一項に記載のプロテクタ。
【発明の詳細な説明】
【技術分野】
【０００１】
本発明は、コルゲートチューブの少なくとも端部を収容して保持する筒状のプロテクタに関するものである。
【背景技術】
【０００２】
従来、ワイヤハーネスを、その可撓性を担保しつつ保護する部材としてコルゲートチューブが広く利用されている。コルゲートチューブは、その内部にワイヤハーネスが通された状態で使用される。コルゲートチューブの端部は、その端部から延出したワイヤハーネスを強固に保護する硬い筒状のプロテクタに収容されて保持されることがある（例えば、特許文献１参照。）。このようにコルゲートチューブの端部を保持したプロテクタが、例えば車両ボディ等の取付け構造物に固定される。
【先行技術文献】
【特許文献】
【０００３】
【特許文献１】特開２００６−６０９３４号公報
【発明の概要】
【発明が解決しようとする課題】
【０００４】
ここで、多くの場合、コルゲートチューブは、長尺のコルゲートチューブから必要量が切り出されて使用に供される。このため、切断部となるコルゲートチューブの開口端縁には、鋭利なエッジが形成されている場合がある。このとき、プロテクタが固定された取付け構造物の振動等に起因してワイヤハーネスが振動し、コルゲートチューブの開口端縁に繰り返し干渉する等といった事態は、ワイヤハーネスの耐久性の観点からは抑制されることが望ましい。
【０００５】
従って、本発明は、上記のような問題に着目し、コルゲートチューブの開口端縁とワイヤハーネスとの干渉を抑制することができるプロテクタを提供することを目的とする。
【課題を解決するための手段】
【０００６】
上記課題を解決するために、本発明のプロテクタは、コルゲートチューブの少なくとも端部を収容して保持する筒状のプロテクタであって、底壁、当該底壁の両端縁から立ち上がる一対の側壁、及び、前記底壁と前記側壁とのうちの少なくとも何れかの壁に設けられて前記コルゲートチューブの前記端部を保持する保持部、を有する本体部と、前記本体部を覆うカバー部と、を備え、前記底壁、一対の前記側壁、及び前記カバー部の、前記コルゲートチューブと向かい合うそれぞれの内面に前記コルゲートチューブの前記端部における開口端縁と対面する対面部を設けたことを特徴とする。
【発明の効果】
【０００７】
本発明のプロテクタでは、本体部をなす底壁、一対の側壁、及びカバー部の各内面に、コルゲートチューブの開口端縁と対面する対面部が設けられている。このため、コルゲートチューブに通されたワイヤハーネスが振動したとしても、ワイヤハーネスは主として対面部に当たることとなる。これにより、上記のように鋭利なエッジが形成されている可能性のあるコルゲートチューブの開口端縁とワイヤハーネスとの干渉を抑制することができる。
【図面の簡単な説明】
【０００８】
【図１】本発明の一実施形態にかかるプロテクタを示す図である。
【図２】図１に示されているプロテクタの分解図である。
【図３】本体部にカバー部を取付けたプロテクタを、図２中の矢印Ｖ１１方向から見た図である。
【図４】コルゲートチューブの端部がプロテクタにおける本体側保持部とカバー側保持部とで保持される様子を、プロテクタについての図１中のＶ１２−Ｖ１２線に沿った断面を用いて示した図である。
【図５】図１〜図４に示されているプロテクタと比較するための比較例を、図４と同等な断面図で示した図である。
【発明を実施するための形態】
【０００９】
以下、本発明の一実施形態について説明する。
【００１０】
図１は、本発明の一実施形態にかかるプロテクタを示す図である。
【００１１】
図１には、本実施形態のプロテクタ１と、このプロテクタ１に端部が収容されて保持されているコルゲートチューブ２と、このコルゲートチューブ２の内部に通されたワイヤハーネス３と、が示されている。コルゲートチューブ２は、樹脂製で蛇腹状の可撓性チューブであり、ワイヤハーネス３において可撓性を担保する部分を保護する。コルゲートチューブ２は、ワイヤハーネス３が通された状態で端部がプロテクタ１に嵌め込まれて取り付けられる。プロテクタ１は、ワイヤハーネス３を強固に保護する樹脂製で硬い四角筒状の部材であり、ワイヤハーネス３において曲げが不要な部分を保護する。本実施形態では、プロテクタ１は、本体部１１とカバー部１２とを備えている。
【００１２】
図２は、図１に示されているプロテクタの分解図である。また、図３は、本体部にカバー部を取付けたプロテクタを、図２中の矢印Ｖ１１方向から見た図である。
【００１３】
本体部１１は、底壁１１１と、この底壁１１１の両端縁から立ち上がる一対の側壁１１２と、を備えている。カバー部１２は、底壁１１１と向き合う天井壁１２１と、本体部１１の各側壁１１２の上端部に重ねられる一対のカバー側壁１２２と、を備えている。一対のカバー側壁１２２それぞれには、本体部１１に向かって延出し、先端に係止爪１２３ａが形成された係止突起１２３が設けられている。そして、本体部１１における一対の側壁１１２それぞれには、各係止突起１２３を受け入れて係止される係止ホルダー１１３が設けられている。一対の係止突起１２３が一対の係止ホルダー１１３に係止するようにカバー部１２が本体部１１に組み付けられることで、四角筒状のプロテクタ１が構成される。
【００１４】
また、本体部１１には、底壁１１１と側壁１１２との両壁に亘って、コルゲートチューブ２の端部を保持する本体側保持部１１４が設けられている。本体側保持部１１４は、プロテクタ１の軸方向Ｄ１１から見た平面視形状が略Ｕ字状となったＵ字リブ１１４ａが、軸方向Ｄ１１に３列に配列された部位である。
【００１５】
また、カバー部１２には、天井壁１２１に、上記の本体側保持部１１４とともにコルゲートチューブ２の端部を保持するカバー側保持部１２４が設けられている。カバー側保持部１２４は、プロテクタ１の軸方向Ｄ１１から見た平面視形状が略円弧状となった円弧リブ１２４ａが、軸方向Ｄ１１に３列に配列された部位である。カバー側保持部１２４の３つの円弧リブ１２４ａは、カバー部１２が本体部１１に取り付けられたときに本体側保持部１１４の３つのＵ字リブ１１４ａと一対一に組み合わされるように形成されている。各円弧リブ１２４ａは、各Ｕ字リブ１１４ａと組み合わされて、端縁が円形孔の縁を構成するようになっている。そして、このように円形孔の縁を構成する円弧リブ１２４ａ及びＵ字リブ１１４ａの各端縁が、次のようにコルゲートチューブ２の端部における外周環状凹部に係止してこれを保持する。
【００１６】
図４は、コルゲートチューブの端部がプロテクタにおける本体側保持部とカバー側保持部とで保持される様子を、プロテクタについての図１中のＶ１２−Ｖ１２線に沿った断面を用いて示した図である。
【００１７】
この図４に示されているように、本体側保持部１１４の３つのＵ字リブ１１４ａと、カバー側保持部１２４の３つの円弧リブ１２４ａと、はコルゲートチューブ２の外周環状凹部２１に嵌入する。この嵌入により、コルゲートチューブ２の端部がプロテクタ１における本体側保持部１１４とカバー側保持部１２４とで保持される。
【００１８】
そして、図２〜図４に示されているように、本実施形態では、本体部１１における底壁１１１と一対の側壁１１２との、コルゲートチューブ２と向かい合うそれぞれの内面に次のような本体側対面部１１５が設けられている。本体側対面部１１５は、コルゲートチューブ２においてプロテクタ１に収容、保持されている端部における開口端縁２２と対面する部位である。
【００１９】
尚、ここにいう対面とは、開口端縁２２を出たワイヤハーネス３が本体側対面部１１５との間に垂れ下がらない程度に、本体側対面部１１５が開口端縁２２に近接して対面することを意味する。本実施形態では、本体側対面部１１５が開口端縁２２に当接した状態で対面している。図２及び図３に示されているように、本体側対面部１１５は、本体部１１における底壁１１１と一対の側壁１１２とに亘って延在し、プロテクタ１の軸方向Ｄ１１から見た平面視形状が略Ｕ字状となったリブである。この本体側対面部１１５の内周の端縁の、軸方向Ｄ１１の両角部は面取り形状となっている。
【００２０】
また、カバー部１２の天井壁１２１の、コルゲートチューブ２と向かい合う内面には、次のようなカバー側対面部１２５が設けられている。カバー側対面部１２５は、コルゲートチューブ２においてプロテクタ１に収容、保持されている端部における開口端縁２２と対面する部位である。
【００２１】
尚、ここにいう対面も、開口端縁２２を出たワイヤハーネス３がカバー側対面部１２５との間に垂れ下がらない程度に、カバー側対面部１２５が開口端縁２２に近接して対面することを意味する。本実施形態では、カバー側対面部１２５が開口端縁２２に当接した状態で対面している。図２及び図３に示されているように、カバー側対面部１２５は、天井壁１２１から突出し、プロテクタ１の軸方向Ｄ１１から見た平面視形状が略円弧状となったリブである。このカバー側対面部１２５の内周の端縁の、軸方向Ｄ１１の両角部も面取り形状となっている。
【００２２】
カバー側対面部１２５は、カバー部１２が本体部１１に取り付けられたときに本体側対面部１１５に組み合わされるように形成されている。カバー側対面部１２５は、本体側対面部１１５と組み合わされて、端縁が円形孔を有する環状リブを構成する略円弧状のリブとなっている。そして、このように環状リブを構成するカバー側対面部１２５及び本体側対面部１１５の各端縁近傍が、図４に示されているように、コルゲートチューブ２の開口端縁２２の全周に亘って、この開口端縁２２と当接した状態で対面する。
【００２３】
本実施形態では、カバー側対面部１２５及び本体側対面部１１５の各内面からの高さ寸法Ｈ１１は次のように設定されている。即ち、この高さ寸法Ｈ１１は、底壁１１１、一対の側壁１１２、及びカバー部１２の天井壁１２１のうち、コルゲートチューブ２から最も離れた部位の内面から開口端縁２２までの距離Ｈ１２よりも長く設定されている。
【００２４】
ここで、本実施形態では、コルゲートチューブ２は、その中心軸が、プロテクタ１の中心軸と略一致するように上述した本体側保持部１１４及びカバー側保持部１２４によって保持される。ただし、本体側保持部１１４及びカバー側保持部１２４によるコルゲートチューブ２の保持は、軸方向Ｄ１１に対する直交方向Ｄ１２について多少のガタを許容した保持となっている。このため、コルゲートチューブ２は、厳密には、底壁１１１、一対の側壁１１２、及びカバー部１２の天井壁１２１の、何れかの部位に若干片寄って保持されることとなる。カバー側対面部１２５及び本体側対面部１１５の高さ寸法Ｈ１１は、この片寄りを考慮した寸法となっている。即ち、コルゲートチューブ２が何れかの部位に偏って位置していると仮定したとき、このコルゲートチューブ２から最も離れた部位の内面から開口端縁２２までの距離Ｈ１２よりも長く設定されている。
【００２５】
図５は、図１〜図４に示されているプロテクタと比較するための比較例を、図４と同等な断面図で示した図である。
【００２６】
図５に示されている比較例のプロテクタ５は、上述した実施形態のプロテクタ１と同様に、本体部５１とカバー部５２とを備えている。そして、本体部５１の底壁５１１及び一対の側壁５１２に設けられた本体側保持部５１４と、カバー部５２の天井壁５２１に設けられたカバー側保持部５２４と、でコルゲートチューブ６の端部が保持される。即ち、本体側保持部５１４をなす３つのＵ字リブ５１４ａと、カバー側保持部５２４をなす３つの円弧リブ５２４ａとが、コルゲートチューブ６の端部における外周環状凹部６１に係止してこれを保持する。一方で、この比較例のプロテクタ５には、上述した実施形態における本体側対面部１１５やカバー側対面部１２５に相当する部位は設けられていない。
【００２７】
ここで、一般に、コルゲートチューブは、長尺のコルゲートチューブから必要量が切り出されて使用に供される。このため、切断部となるコルゲートチューブの開口端縁には、鋭利なエッジが形成されている場合がある。
【００２８】
図５に示されている比較例において、コルゲートチューブ６の開口端縁６２に鋭利なエッジが形成されていると仮定する。この場合、例えばプロテクタ５が固定された取付け構造物の振動等に起因してワイヤハーネス７が、プロテクタ５の軸方向Ｄ５１に対する直交方向Ｄ５２に振動すると、ワイヤハーネス７と開口端縁６２の鋭利なエッジとの干渉ＤＭが繰り返し生じる恐れがある。このような干渉は、ワイヤハーネス７の耐久性の観点からは抑制されることが望ましい。
【００２９】
この比較例に対し、上述した実施形態では、本体部１１をなす底壁１１１、一対の側壁１１２、及びカバー部１２をなす天井壁１２１の各内面に、コルゲートチューブ２の開口端縁２２と対面する本体側対面部１１５及びカバー側対面部１２５が設けられている。このため、コルゲートチューブ２に通されたワイヤハーネス３が振動したとしても、ワイヤハーネス３は主として本体側対面部１１５やカバー側対面部１２５に当たることとなる。これにより、上記のように鋭利なエッジが形成されている可能性のあるコルゲートチューブ２の開口端縁２２とワイヤハーネス３との干渉を抑制することができる。
【００３０】
また、本実施形態では、本体側対面部１１５及びカバー側対面部１２５は、コルゲートチューブ２の開口端縁２２の全周に亘って対面するように設けられている。これにより、開口端縁２２の周方向についてワイヤハーネス３が何れの方向に振動したとしても本体側対面部１１５やカバー側対面部１２５に当たることとなる。つまり、本実施形態によれば、コルゲートチューブ２の開口端縁２２とワイヤハーネス３との干渉を一層抑制することができる。
【００３１】
また、本実施形態では、本体側対面部１１５及びカバー側対面部１２５の各内面からの高さ寸法Ｈ１１は次のような寸法となっている。即ち、高さ寸法Ｈ１１は、底壁１１１、一対の側壁１１２、及びカバー部１２の天井壁１２１のうち、コルゲートチューブ２から最も離れた部位の内面から開口端縁２２までの距離よりも長くなっている。これにより、プロテクタ１の内部においてコルゲートチューブ２が上記の各内面からどのような位置関係にあったとしても、コルゲートチューブ２の開口端縁２２と本体側対面部１１５やカバー側対面部１２５との対面関係が確保される。本実施形態によれば、この点においても、コルゲートチューブ２の開口端縁２２とワイヤハーネス３との干渉を一層抑制することができる。
【００３２】
また、本実施形態では、本体側対面部１１５及びカバー側対面部１２５は、コルゲートチューブ２の開口端縁２２と当接した状態で対面するように設けられている。これにより、コルゲートチューブ２の開口端縁２２とワイヤハーネス３との接触が本体側対面部１１５やカバー側対面部１２５によって高い確度で阻止される。本実施形態によれば、この点においても、コルゲートチューブ２の開口端縁２２とワイヤハーネス３との干渉を一層抑制することができる。
【００３３】
尚、以上に説明した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明のプロテクタの構成を具備する限り、勿論、本発明の範疇に含まれるものである。
【００３４】
例えば、上述した実施形態では、本発明にいうプロテクタの一例として、コルゲートチューブ２の端部を収容して保持する四角筒状のプロテクタ１が例示されている。しかしながら、本発明にいうプロテクタはこれに限るものではなく、コルゲートチューブにおいて端部を含む長尺な部分を収容して保持するものであってもよく、その形状も円筒状等などというように四角筒以外の筒状のものであってもよい。
【００３５】
また、上述した実施形態では、本発明にいう保持部の一例として、本体部１１に設けられた本体側保持部１１４とカバー部１２に設けられたカバー側保持部１２４とが例示されている。しかしながら、本発明にいう保持部はこれに限るものではなく、本体部にのみ設けられたものであってもよい。また、本体部に保持部を設けるに当たっても、上述の実施形態のように、底壁１１１及び一対の側壁１１２の全てに亘って設ける形態に限るものではなく、少なくとも何れかの壁に設ければよい。さらに、本発明にいう保持部は、上述の実施形態のように、コルゲートチューブ２の外周環状凹部２１に嵌入する３つのＵ字リブ１１４ａや３つの円弧リブ１２４ａを備える形態に限るものでもない。本発明にいう保持部は、コルゲートチューブの端部を保持するものであれば、具体的な保持態様を問うものではない。
【００３６】
また、上述した実施形態では、本発明にいう対面部の一例として、略Ｕ字状の本体側対面部１１５と、この本体側対面部１１５に組み合わされて円形孔を有する環状リブを形成する略円弧状のカバー側対面部１２５と、が例示されている。しかしながら、本発明にいう対面部はこれらに限るものではなく、例えば、底壁、一対の側壁、及びカバー部それぞれの内面から突出した矩形板状の部位等であってもよい。本発明にいう対面部は、これらの各内面にコルゲートチューブの端部における開口端縁と対面するように設けられるものであれば、その具体的な形状等は任意に設定し得る。
【００３７】
また、上述した実施形態では、本発明にいう対面部の一例として、開口端縁２２に当接した状態で対面する本体側対面部１１５やカバー側対面部１２５が例示されている。しかしながら、本発明にいう対面部は、これらに限るものではなく、開口端縁を出たワイヤハーネスが対面部との間に垂れ下がらない程度に、開口端縁から若干離れて対面するもの等であってもよい。ただし、対面部をコルゲートチューブの開口端縁に当接した状態で設けることで、コルゲートチューブの開口端縁とワイヤハーネスとの接触を高い確度で阻止できる点は上述した通りである。
【００３８】
また、上述した実施形態では、本発明にいう対面部の一例として、内周の端縁の、軸方向Ｄ１１の両角部が面取り形状となった本体側対面部１１５やカバー側対面部１２５が例示されている。しかしながら、本発明にいう対面部は、これらに限るものではなく、上記の両角部が丸みを帯びた形状となったものや、内周の端縁の断面形状が、全体的に円弧状となったもの等であってもよい。
【００３９】
また、上述した実施形態では、本発明にいう対面部の高さ寸法の一例として、次のような高さ寸法Ｈ１１が例示されている。即ち、この高さ寸法Ｈ１１は、底壁１１１、一対の側壁１１２、及びカバー部１２の天井壁１２１のうち、コルゲートチューブ２から最も離れた部位の内面から開口端縁２２までの距離Ｈ１２よりも長く設定されている。しかしながら、本発明にいう対面部の高さ寸法はこれに限るものではない。この高さ寸法は、コルゲートチューブから最も離れた部位の内面から開口端縁までの距離と等しくてもよい。
【符号の説明】
【００４０】
１    プロテクタ
２    コルゲートチューブ
３    ワイヤハーネス
１１  本体部
１２  カバー部
２２  開口端縁
１１１  底壁
１１２  側壁
１１３  係止ホルダー
１１４  本体側保持部（保持部）
１１５  本体側対面部（対面部）
１２１  天井壁
１２２  カバー側壁
１２３  係止突起
１２４  カバー側保持部
１２５  カバー側対面部（対面部）
Ｄ１１  軸方向
Ｄ１２  直交方向
Ｈ１１  高さ寸法
Ｈ１２  距離
【図１】
2019088120.tif 000003
【図２】
2019088120.tif 000004
【図３】
2019088120.tif 000005
【図４】
2019088120.tif 000006
【図５】
2019088120.tif 000007